(57)【要約】【課題】操作性を向上させることが可能な携帯端末を提供する。【解決手段】本発明の携帯端末は、正面ディスプレイ６１の背面に形成された背面キー１３と、サイドキー１４と、２つの筐体の開閉を検知する筐体状態検知部１２と、背面キー１３及びサイドキー１４の入力の有効又は無効を設定するスライドスイッチ１１とを備え、制御部２０は、２つの筐体が閉じられていると検知された場合は、スライドスイッチ１１の設定に基づいて背面キー１３による入力を有効又は無効とし、スライドスイッチ１１の設定に基づいてサイドキー１４による入力を有効または無効とし、２つの筐体が開いていると検知された場合は、スライドスイッチ１１の設定に関わらず背面キー１３による入力を無効とし、スライドスイッチ１１の設定に関わらずサイドスイッチ１４による入力を有効とする。【選択図】図３
2008085644.tif 000002
【特許請求の範囲】
【請求項１】
開閉自在な２つの筐体からなる携帯端末であって、
前記２つの筐体が閉じられている際に、該２つの筐体の互いに対向する面のうち一方の画像を表示する表示部が設けられた面と反対側の面に設けられた第１の入力部と、
第２の入力部と、
前記２つの筐体の開閉を検知する検知部と、
前記第１の入力部及び第２の入力部の入力の有効又は無効を設定する設定部と、
前記２つの筐体が閉じられていると検知された場合は、前記設定部の設定に基づいて前記第１の入力部による入力を有効又は無効とし、
前記２つの筐体が開いていると検知された場合は、前記設定部の設定に関わらず前記第１の入力部による入力を無効とし、
前記２つの筐体が開いていると検知された場合は、前記設定部の設定に関わらず前記第２の入力部による入力を有効とし、
前記２つの筐体が閉じていると検知された場合は、前記設定部の設定に基づいて前記第２の入力部による入力を有効または無効とする制御部と、を備える携帯端末。
【発明の詳細な説明】
【技術分野】
【０００１】
本発明は、互いに開閉自在な２つの筐体を有する携帯端末に関する。
【背景技術】
【０００２】
現在、２つの筐体がヒンジ機構により開閉自在に連結された携帯端末が知られている。このような携帯端末には、例えば、パソコンや携帯電話等の携帯端末がある。また、このような携帯端末には、２つの筐体が閉じた場合に外部に露出する操作部が設けられている。
【０００３】
そして、従来では、このような外部に露出する操作部に対してユーザの意図しない操作による誤入力を防止するため、操作部に対するキーの操作を無効化するロックキーが設けられたり、所定のキー操作によりキー操作を無効化する設定方法が設定されている（例えば、特許文献１）。
【特許文献１】特開２００４−１２８８５０号公報
【発明の開示】
【発明が解決しようとする課題】
【０００４】
しかしながら、従来技術のキー操作の無効化の設定方法では、携帯端末の開閉状態などに関わらず一律に操作部からの入力を有効又は無効としている。そのため、ユーザは操作部の入力の有効又は無効を変更するためにはロックキーの設定変更などの操作をしなければならず操作性に問題があった。
【０００５】
本発明は、上記事情に鑑みなされたもので、操作性を向上させることが可能な携帯端末を提供することを目的とする。
【課題を解決するための手段】
【０００６】
上記課題を解決するため、本発明の携帯端末は、開閉自在な２つの筐体からなる携帯端末であって、前記２つの筐体が閉じられている際に、該２つの筐体の互いに対向する面のうち一方の画像を表示する表示部が設けられた面と反対側の面に設けられた第１の入力部と、第２の入力部と、前記２つの筐体の開閉を検知する検知部と、前記第１の入力部及び第２の入力部の入力の有効又は無効を設定する設定部と、前記２つの筐体が閉じられていると検知された場合は、前記設定部の設定に基づいて前記第１の入力部による入力を有効又は無効とし、前記２つの筐体が開いていると検知された場合は、前記設定部の設定に関わらず前記第１の入力部による入力を無効とし、前記２つの筐体が開いていると検知された場合は、前記設定部の設定に関わらず前記第２の入力部による入力を有効とし、前記２つの筐体が閉じていると検知された場合は、前記設定部の設定に基づいて前記第２の入力部による入力を有効または無効とする制御部とを備える。
【発明の効果】
【０００７】
このように、本発明の携帯端末によれば、筐体の開閉状態に応じて、２つの筐体の互いに対向する面の一方の面に設けられた表示部が設けられている面と反対側の面に設けられた第１の入力部への入力を無効とすることができ、さらに、筐体の開閉状態に応じて、第２の入力部への入力を無効又は有効としているため、ユーザの操作性を向上させることができる。
【発明を実施するための最良の形態】
【０００８】
次に、本発明に係る携帯端末の一実施形態について図面を参照して説明する。図１は、本発明に係る携帯端末の一実施形態である携帯電話の斜視図である。図１に示される携帯電話は閉状態の携帯電話を示す。
【０００９】
図１に示される携帯電話１は、後述するタッチセンサやサイドキーの入力の有効又は無効を設定するスライドスイッチ１１と、携帯電話１のモードを、ラジオを聴くモードであるラジオモードや音楽を聴くモードである音楽モードなどに変更するモードキー１４ａと、携帯電話１をマナーモードにするマナーキー１４ｂと、指などの接触を検知してこの接触による入力を行わせるタッチセンサ１７０と、画像を撮像するカメラ１８０と、ライト１９０とを備える。また、図１には図示されていないが、図１に示される携帯電話１は、押下されることによりユーザからの入力を受け付けるスイッチを有している。このスイッチは、例えばタッチセンサ１７０のパネルの下部に設けられているとして良い。
【００１０】
次に、図１に示される携帯電話の２つの筐体が開いた状態について図２を参照して説明する。図２は、図１に示される携帯電話の斜視図である。図２は、筐体が開いた状態の携帯電話を示す。
【００１１】
図２に示されるように携帯電話１は、表示側筐体２と文字側筐体３とを備え、表示側筐体２と文字側筐体３とはヒンジ９を介して相互に開閉自在に連結されている。
【００１２】
表示側筐体２は、フロントケース２ａとリアケース２ｂとを有する。表示側筐体２は、内部にスピーカなどの回路基板を実装する不図示の回路基板を有する。また、表示側筐体２は、フロントケース２ａに液晶表示ユニット６１ａを備える。
【００１３】
また、文字側筐体３は、フロントケース３ａとリアケース３ｂとを備える。また、フロントケース３ａには、操作キー５が設けられている。この操作キー５は、数字を入力するためのキーや、電源のオンオフを制御するためのキーや、動作を決定するためのキーなどが含まれる。もちろん、本発明の携帯端末において操作キー５に含まれるキーとしては、これらのキーに限定されるものではなく、その他のキーを含めるとしても良い。この操作キー５は、２つの筐体が閉じた状態になると（図１）、外部から露出しない状態となる。また、リアケース３ｂには、モードキー１４ａとマナーキー１４ｂとが設けられている。
【００１４】
次に、図１に示される携帯電話の機能について図３を参照して説明する。図３は、図１に示される携帯電話の機能のブロック図である。図３に示されるように、本実施形態の携帯電話では、ハードウェア３００とソフトウェア３１０とが協働してその機能が実現されている。
【００１５】
ただし、図３に示されるハードウェア３００とソフトウェア３１０との切り分けは絶対的なものではなく、ハードウェア３００とソフトウェア３１０のそれぞれの機能のうちの任意の機能を、ハードウェア３００とソフトウェア３１０との間で適宜入れ替えることができる。
【００１６】
図３に示されるように、本実施形態の携帯電話のハードウェア３００は、操作入力部１０と、記憶部３０と、出力部８０とを備える。
【００１７】
操作入力部１０は、ユーザからの入力を受け付ける。出力部８０は、携帯電話からユーザに対して画像、音声などの各種の情報を出力する。記憶部３０は、ユーザから入力された情報や携帯電話において処理された情報などを記憶する。この記憶部３０は、例えばＲＡＭなどにより構成される。
【００１８】
図３に示されるように、操作入力部１０は、スライドスイッチ１１と、筐体状態検知部１２と、背面キー１３と、サイドキー１４とを備える。スライドスイッチ１１は、背面キー１３やサイドキー１４の入力を有効又は無効に設定するためのスイッチである。このスライドスイッチ１１の動作については後述する。
【００１９】
筐体状態検知部１２は、携帯電話の筐体の開閉状態を検知する。この筐体状態検知部１２は、図１及び図２では図示されていないが、例えば、表示側筐体２及び文字側筐体３のヒンジ９とは逆側の端部に設けられた磁石と磁気センサにより実現される。本実施形態の携帯電話では、例えば、表示側筐体２のヒンジ９に対して逆側の端部に磁石が設けられ、文字側筐体３のヒンジ９に対して逆側の端部に磁気センサが設けられている。もちろん、磁石と磁気センサの位置は逆であっても良い。
【００２０】
さらに、本発明の携帯端末では、筐体状態検知部１２として、このような構成のものに限定されるものではなく、本発明の趣旨を逸脱しない範囲で任意の筐体の開閉を検知する装置を用いることができる。
【００２１】
背面キー１３は、携帯電話が閉じられた状態において外部に露出するキーであって、筐体上において液晶表示ユニット６１ａの裏に当たる筐体の外面に設けられているキーのことをいう。すなわち、背面キー１３は、ユーザが筐体を開いて液晶表示ユニット６１ａを見た場合に、この液晶表示ユニット６１ａの裏に当たる筐体の外面に配置され、ユーザから視認することができなくなるキーのことをいう。
【００２２】
このような背面キー１３として、例えば、静電容量の変化を検出するタッチセンサ１７０や、押下を検知するスイッチなどが含まれる。もちろん、本発明の携帯端末としては、このような背面キーに限定されるものではなく、本発明の趣旨を逸脱しない範囲でその他の任意の背面キーを設けることができる。
【００２３】
サイドキー１４は、上記背面キー１３以外のキーのことをいう。サイドキー１４には、例えば、筐体上において液晶表示ユニット６１ａの裏面以外の位置に設けられているキーが該当する。ただし、筐体の外面において、背面キー１３と同じ面に設けられているキーであっても、サイドキー１４に含ませても良い。
【００２４】
例えば、このようなサイドキー１４として、モードキー１４ａやマナーキー１４ｂがある。もちろん、本発明の携帯端末としては、このようなサイドキーに限定されるものではなく、本発明の趣旨を逸脱しない範囲でその他の任意の種類のサイドキーを設けることができる。
【００２５】
出力部８０は、正面ディスプレイ６１と、背面ディスプレイ６２と、Ｌｉｇｈｔ  Ｅｍｉｔｔｉｎｇ  Ｄｉｏｄｅ（ＬＥＤ）６３と、スピーカ７１と、バイブレータ７２と、イヤホン７３と、表示部６０と、鳴動部７０とを備える。
【００２６】
正面ディスプレイ６１は、２つの筐体が閉じた場合に対向する面に設けられたディスプレイであり、携帯電話が開いた状態でユーザに視認されるディスプレイである。この正面ディスプレイ６１は、図２に示される液晶ディスプレイ６１ａが該当する。もっとも、本発明の正面ディスプレイ６１としては、液晶ディスプレイに限定されるものではなく、本発明の趣旨を逸脱しない範囲でその他の任意の正面ディスプレイを設けることができる。
【００２７】
背面ディスプレイ６２は、正面ディスプレイ６１の筐体上における裏側に配置されたディスプレイであり、例えば有機ＥＬ（Ｅｌｅｃｔｒｏ  Ｌｕｍｉｎｅｓｃｅｎｃｅ）ディスプレイにより構成される。もっとも、本発明の背面ディスプレイ６２としては、有機ＥＬディスプレイに限定されるものではなく、本発明の趣旨を逸脱しない範囲でその他の任意の背面ディスプレイを設けることができる。
【００２８】
ＬＥＤ６３は、発光することによりユーザに各種の情報を通知する。このＬＥＤ６３は、例えば背面キー１３を構成するタッチセンサ１７０の周囲に配置されている。もっとも、本発明の携帯端末において、ＬＥＤの配置されている位置は背面キーの周囲に限定されるものではなく、本発明の趣旨を逸脱しない範囲でその位置を変更することができる。
【００２９】
上記の正面ディスプレイ６１、背面ディスプレイ６２、ＬＥＤ６３は、表示部６０によりその動作が制御される。表示部６０は、後述する実行部５０の指示に基づいて正面ディスプレイ６１、背面ディスプレイ６２、ＬＥＤ６３の動作を制御する。
【００３０】
また、スピーカ７１は、所定の音を発する。バイブレータ７２は、モータの回転により携帯電話に所定の振動を発生させる。イヤホン７３は、ユーザの耳に装着された装着部から所定の音を発する。
【００３１】
これらスピーカ７１、バイブレータ７２、イヤホン７３は、鳴動部７０によりその動作が制御される。鳴動部７０は、後述する実行部５０の指示に基づいてスピーカ７１、バイブレータ７２、イヤホン７３の動作を制御する。
【００３２】
ソフトウェア３１０は、図３に示されるように、制御部２０と、判定部４０と、実行部５０とを備える。制御部２０は、携帯電話の全体の動作を制御する。この制御部２０は、ソフトウェアとして構成しているが、例えば、ＣＰＵがメモリに格納されているプログラムと協働することによりその機能が実現されるとしても良い。
【００３３】
判定部４０は、制御部２０の制御の下、所定の判定を行う。この判定部４０は、ソフトウェアとして構成しているが、例えば、ＣＰＵがメモリに格納されているプログラムと協働することによりその機能が実現されるとしても良い。
【００３４】
実行部５０は、制御部２０からの指示に基づいて表示部６０や鳴動部７０に対して動作の指示を行う。この実行部５０は、ソフトウェアとして構成しているが、例えば、ＣＰＵがメモリに格納されているプログラムと協働することによりその機能が実現されるとしても良い。
【００３５】
次に、図３に示される各部の動作について、さらに詳細に説明する。スライドスイッチ１１は、ユーザによるスライドスイッチ１１のオン又はオフを検知し、この検知結果を制御部２０に検知信号として出力する。なお、本実施形態の携帯電話では、スライドスイッチ１１がオンである場合がキー操作を無効する状態であり、スライドスイッチ１１がオフである場合がキー操作を有効する状態である。
【００３６】
また、筐体状態検知部１２は、筐体の開閉状態を検知して、この検知結果を制御部２０に送信する。また、背面キー１３は、背面キー１３への入力状態を検知して、この検知結果を制御部２０に送信する。また、サイドキー１４は、サイドキー１４への入力状態を検知し、この検知結果を制御部２０に送信する。
【００３７】
制御部２０は、操作入力部１０を構成する各部から出力された信号に基づいて、実行部５０に対して指示信号を出力する。また、制御部２０は、操作入力部１０を構成する各部から出力された信号に基づいて、判定部４０に対して、ユーザのキー操作が有効であるか無効であるかを判定させる。判定部４０は、制御部２０の指示に基づいてユーザのキー操作が有効か無効かを判定する。なお、判定部４０における判定動作の詳細については後述する。
【００３８】
制御部２０は、ユーザによるキー操作が有効か無効かを示す判定部４０の判定結果に基づいて、実行部５０に対して指示信号を出力する。また、制御部２０は、スライドスイッチ１１の状態の情報や、筐体の開閉状態の情報を記憶部３０に記憶させる。
【００３９】
また、実行部５０は、制御部２０の指示に基づいて表示部６０や鳴動部７０を制御する。例えば、表示部６０は、正面ディスプレイ６１、背面ディスプレイ６２、ＬＥＤ６３に指示を出すことにより、キー操作の実行結果や、キー操作が無効であることを示す表示などを行う。例えば、スライドスイッチ１１が操作された場合は、正面ディスプレイ６１は、キー操作が有効又は無効になった旨を表示する。
【００４０】
鳴動部７０は、スピーカ７１、バイブレータ７２、イヤホン７３から出力される音や振動により、キー操作の実行結果や、キー操作が有効又は無効となったことなどをユーザへ知らせる。例えば、スライドスイッチ１１が操作された場合には、スピーカ７１は、キー操作が有効又は無効になった旨を、発する音によりユーザに知らせる。
【００４１】
次に、本実施形態の携帯電話の動作について図４を参照して説明する。図４は、図１に示される携帯電話の動作のフローチャートである。
【００４２】
図４に示されるように、まず、制御部２０は、操作入力部１０を構成する各部や、操作キー５へとキー入力があったことを検知する（Ｓ４０１）。そして、判定部４０は、制御部２０から出力された信号に基づいて入力されたキーが背面キー１３であるか否かを判定する（Ｓ４０２）。入力キーが背面キー１３である場合は（Ｓ４０２，ＹＥＳ）、処理はＳ４０９に移行する。
【００４３】
Ｓ４０９では、判定部４０は、筐体状態検知部１２の検知結果に基づいて制御部２０から出力された信号に基づいて、携帯電話の筐体が開いた状態か閉じた状態かを判定する。判定部４０が、Ｓ４０９の判定において、携帯電話の筐体が開いていると判定した場合、制御部２０は、背面キー１３への入力を無効として（Ｓ４０９，Ｓ４１０）、処理を終える。
【００４４】
また、判定部４０が、Ｓ４０９の判定において、携帯電話の筐体が閉じていると判定した場合、処理はＳ４１１に移行する。Ｓ４１１において、判定部４０は、制御部２０から出力された信号に基づいて、スライドスイッチ１１がオンであるかオフであるかを判定する。そして、制御部２０は、スライドスイッチ１１がオンである場合は、背面キー１３への入力を無効とし（Ｓ４１０）、スライドスイッチがオフである場合は、背面スイッチへの入力を有効として（Ｓ４１２）、処理を終える。
【００４５】
次に、Ｓ４０２の判定において、入力されたキーが背面キーではない場合（Ｎｏ）、処理はＳ４０３に移行する。Ｓ４０３では、判定部４０は、制御部２０から出力された信号に基づいて入力されたキーがサイドキー１４であるか否かを判定する。判定部４０の判定の結果、入力されたキーがサイドキー１４ではない場合（Ｎｏ）、制御部２０は、入力されたキーを有効として（Ｓ４１３）、処理を終える。ここで、入力されたキーが、背面キー１３やサイドキー１４ではない場合とは、例えば入力されたキーが操作キー５である場合が考えられるが、本発明の携帯端末はこのような場合に限定されるものではなく、Ｓ４１３において有効とされるキーは、背面キー１３やサイドキー１４以外のキーであるとして良い。
【００４６】
Ｓ４０３の判定において、入力されたキーがサイドキー１４と判定された場合（Ｙｅｓ）、処理はＳ４０４に移行する。Ｓ４０４において、判定部４０は、制御部２０から出力された信号に基づいて、筐体の開閉状態を判定する。
【００４７】
そして、制御部２０は、Ｓ４０４における判定部４０の判定結果が、筐体が開いた状態を示す場合は、サイドキー１４への入力を有効として（Ｓ４０５）、処理を終える。ここで、制御部２０は、Ｓ４０５において、スライドスイッチ１１の状態がオンであるかオフであるかにかかわらず、サイドキーの入力を有効とする。
【００４８】
また、Ｓ４０４における判定部４０の判定結果が、筐体が閉じた状態を示す場合は、処理はＳ４０６に移行する。Ｓ４０６では、判定部４０は、制御部２０から出力された信号に基づいて、スライドスイッチの状態を判定する。
【００４９】
そして、制御部２０は、Ｓ４０６における、判定部４０の判定結果がスライドスイッチがオン状態を示す判定結果であった場合はサイドキー１４への入力を無効とし（Ｓ４０７）、スライドスイッチ１１がオフ状態を示す判定結果であった場合はサイドキー１４への入力を有効として（Ｓ４０８）、処理を終える。
【００５０】
このように、本発明の携帯端末の一実施形態は、背面キー１３への入力がなされた場合、筐体の開閉状態が判定され、筐体が開いている状態であれば背面キー１３への入力を無効とし、筐体が閉じられている場合であれば、次に、スライドスイッチ１１のオン又はオフに基づいて背面キー１３の入力を無効又は有効としているため、筐体が開いた状態であれば通常では背面キー１３が使用されないため、スライドスイッチ１１がオフ又はオンに関わらず、この状態における背面キー１３の入力を無効とすることにより、背面キー１３への入力を無効とするためのスライドスイッチ１１の操作を不要として、ユーザの操作性を向上させることができる。
【００５１】
さらに、本発明の携帯端末の一実施形態は、サイドキー１４への入力がなされた場合、筐体の開閉状態が判定され、筐体が閉じられている場合であれば、次に、スライドスイッチ１１のオン又はオフに基づいてサイドキー１４への入力を無効又は有効とし、筐体が開いた状態であれば通常はサイドキー１４への入力が必要となるため、スライドスイッチ１１のオン又はオフの状態に関わらず、サイドキー１４への入力を有効とするため、この状態におけるユーザによるサイドキー１４への入力を有効とするためのスライドスイッチ１１の操作を不要として、ユーザの操作性を向上させることができる。
【図面の簡単な説明】
【００５２】
【図１】本発明に係る携帯端末の一実施形態である携帯電話の斜視図である。
【図２】図１に示される携帯電話の斜視図である。
【図３】図１に示される携帯電話の機能のブロック図である。
【図４】図１に示される携帯電話の動作のフローチャートである。
【符号の説明】
【００５３】
１  携帯電話
２  表示側筐体
２ａ  フロントケース
２ｂ  リアケース
３  文字側筐体
３ａ  フロントケース
３ｂ  リアケース
５  操作キー
９  ヒンジ
１０  操作入力部
１１  スライドスイッチ（設定部）
１２  筐体状態検知部（検知部）
１３  背面キー（第１の入力部）
１４  サイドキー（第２の入力部）
１４ａ  モードキー（第２の入力部）
１４ｂ  マナーキー（第２の入力部）
２０  制御部
３０  記憶部
４０  判定部
５０  実行部
６０  表示部
６１  正面ディスプレイ
６１ａ  液晶表示ユニット
６２  背面ディスプレイ
６３  ＬＥＤ
７０  鳴動部
７１  スピーカ
７２  バイブレータ
７３  イヤホン
８０  出力部
１７０  タッチセンサ（第１の入力部）
１８０  カメラ
１９０  ライト
３００  ハードウェア
３１０  ソフトウェア
【図１】
2008085644.tif 000003
【図２】
2008085644.tif 000004
【図３】
2008085644.tif 000005
【図４】
2008085644.tif 000006